(57)【要約】      （修正有）【課題】携帯し忘れることが少なくなるバンドを提供する。【解決手段】バンドは、伸縮性を有する収納部１と、一対のバンド部２Ａ及び２Ｂと、連結部３と、を備える。一対のバンド部は、収納部に設けられており、何れも伸縮性を有している。連結部は、一対のバンド部どうしを着脱可能に連結する。収納部が、化粧品等の小物を入れるポーチとして用いられることにより、バンドを携帯する機会が多くなる。従って、裾の広いパンツを身に付けたときにバンドを携帯し忘れるといったことが少なくなる。【選択図】図１
0003214454.tif 000002
【実用新案登録請求の範囲】
【請求項１】
伸縮性を有する収納部と、
伸縮性を有しており、前記収納部に設けられた一対のバンド部と、
前記一対のバンド部どうしを着脱可能に連結する連結部と、
を備える、バンド。
【請求項２】
前記収納部は、伸縮性について異方性を有し、
伸縮し易い方向についての前記収納部の両端縁に、前記一対のバンド部の基端部がそれぞれ固定され、
前記一対のバンド部の先端部に前記連結部が設けられている、請求項１に記載のバンド。
【請求項３】
前記収納部は、収納口を開閉するための線ファスナを有し、当該線ファスナは、前記伸縮し易い方向に対して垂直な方向に延在している、請求項２に記載のバンド。
【考案の詳細な説明】
【技術分野】
【０００１】
本考案は、下肢や上肢等に巻き付けて衣服のズレ落ちを防ぐバンドに関する。
【背景技術】
【０００２】
近頃、主に女性の間で、従来のパンツよりも裾が大きく拡がったガウチョパンツやワイドパンツ等のパンツが流行している。その一方で、その様なパンツを身に付けた経験のある女性からは、トイレ等で床に裾が着いてしまうといった点や、大きく拡がった裾は手で纏めることが難しいといった点が指摘されている。
【０００３】
そこで、下肢に巻き付けて上記パンツの裾のズレ落ちを防ぐ環状のゴムバンド（例えば、ガウチョバンド）が提案及び販売されている。
【先行技術文献】
【特許文献】
【０００４】
【特許文献１】意匠登録第１３７１０９８号公報
【特許文献２】意匠登録第１３３７１４３号公報
【考案の概要】
【考案が解決しようとする課題】
【０００５】
しかし、ガウチョバンド等のゴムバンドは、単にヘアバンド（例えば、特許文献１及び２参照）を上記パンツ用にサイズや太さ等を変更したものに過ぎず、その用途が、下肢に巻き付けることにのみ限定されている。このため、裾の広いパンツを身に付けることがある女性であっても、いつもゴムバンドを携帯しているとは限らず、裾の広いパンツを身に付けた必要なときにゴムバンドを携帯し忘れるといったことがある。
【０００６】
そこで本考案の目的は、携帯し忘れることが少なくなるバンドを提供することである。
【課題を解決するための手段】
【０００７】
本考案に係るバンドは、伸縮性を有する収納部と、一対のバンド部と、連結部と、を備える。一対のバンド部は、収納部に設けられており、何れも伸縮性を有している。連結部は、一対のバンド部どうしを着脱可能に連結する。
【０００８】
上記バンドによれば、収納部を含む全体を伸縮させることができる。よって、ガウチョパンツやワイドパンツ等のパンツを身に付けた際に、下肢にバンドを巻き付けることにより、当該パンツの裾のズレ落ちを防ぐことができる。又、収納部が、化粧品等の小物を入れるポーチとして用いられることにより、ユーザにとって、上記バンドを携帯する機会が多くなる。従って、裾の広いパンツを身に付けたときにバンドを携帯し忘れるといったことが少なくなる。
【０００９】
上記バンドにおいて、収納部は、伸縮性について異方性を有していてもよい。この構成において、伸縮し易い方向についての収納部の両端縁に、一対のバンド部の基端部がそれぞれ固定され、一対のバンド部の先端部に連結部が設けられていることが好ましい。この構成によれば、一対のバンド部を両手で持ってそれぞれを反対方向へ引っ張ることにより、バンド部と共に収納部を弾性変形させてバンド全体を引き伸ばすことができる。
【００１０】
上記バンドにおいて、収納部は、収納口を開閉するための線ファスナを有していてもよい。この構成において、当該線ファスナは、上記伸縮し易い方向に垂直な方向に延在していることが好ましい。線ファスナは殆ど伸縮することがない部材であるが、線ファスナの上記配置によれば、線ファスナが収納部の伸縮の妨げになることが回避される。
【考案の効果】
【００１１】
本考案によれば、バンドを携帯し忘れることが少なくなる。
【図面の簡単な説明】
【００１２】
【図１】本考案の実施形態に係るバンドを概念的に示した正面図である。
【図２】上記バンドの背面図である。
【図３】上記バンドの左側面図である。
【図４】上記バンドの右側面図である。
【図５】上記バンドの使用状態を示した図である。
【図６】上記バンドの変形例を示した図である。
【考案を実施するための形態】
【００１３】
図１〜図４はそれぞれ、本考案の実施形態に係るバンドを概念的に示した正面図、背面図、左側面図、及び右側面図である。又、図５は、バンドの使用状態を示した図である。図１〜図４に示される様に、バンドは、収納部１と、一対のバンド部２Ａ及び２Ｂと、連結部３と、を備える。
【００１４】
収納部１は、化粧品等の小物の収納が可能な袋部であり、例えばポーチとして用いられる。又、収納部１は、伸縮性を有している。本実施形態では、収納部１は、矩形状の外観を呈しており、長手方向Ｄ１において伸縮し易い。即ち、収納部１は、伸縮性について異方性を有している。具体的には、収納部１は、所定の方向において高い伸縮性を有するタオル生地を用いて、当該所定の方向が長手方向Ｄ１に一致する様に形成されている。尚、収納部１は、伸縮性を有するものであれば、タオル生地に限定されない種々の生地から形成されていてもよい。
【００１５】
収納部１には、小物等を出し入れするための収納口１０が設けられており、本実施形態では、収納口１０は、収納部１の１つの短辺を構成する端縁１ａに当該端縁１ａに沿って形成されている（図３参照）。そして、当該収納口１０の開閉が可能となる様に、端縁１ａに沿って線ファスナ１１が設けられている。即ち、線ファスナ１１は、収納部１の伸縮し易い方向である長手方向Ｄ１に対して垂直な方向に延在している。
【００１６】
線ファスナ１１は殆ど伸縮することがない部材であるが、線ファスナ１１の上記配置によれば、線ファスナ１１が収納部１の伸縮の妨げになることが回避される。
【００１７】
一対のバンド部２Ａ及び２Ｂは、伸縮性を有するゴムバンドで形成された部分であり、収納部１に設けられている（図１及び図２参照）。本実施形態では、長手方向Ｄ１（伸縮し易い方向）についての収納部１の両端縁１ａ及び１ｂに、一対のバンド部２Ａ及び２Ｂの基端部２１Ａ及び２１Ｂがそれぞれ固定されている。尚、バンド部２Ａ及び２Ｂには、ゴムバンドに限らず、伸縮性を有する様々なバンド部材が用いられてもよい。
【００１８】
従って、本実施形態のバンドによれば、バンド部２Ａ及び２Ｂを両手で持ってそれぞれを反対方向へ引っ張ることにより、バンド部２Ａ及び２Ｂと共に収納部１を弾性変形させてバンド全体を引き伸ばすことができる。
【００１９】
より具体的には、バンド部２Ａの基端部２１Ａは、収納部１の端縁１ａの中央位置又はそこから僅かにずれた位置に固定されている。又、バンド部２Ｂの基端部２１Ｂは、収納部１の端縁１ｂの中央位置又はそこから僅かにずれた位置に固定されている。そして、バンド部２Ａ及び２Ｂは何れも、それらの長手方向が収納部１の長手方向Ｄ１に一致する様に収納部１に設けられている。よって、バンド部２Ａ及び２Ｂをそれぞれ反対方向へ引っ張ったとき、収納部１を、捻れを生じることなくバランス良く引き伸ばすことができる。
【００２０】
連結部３は、上記一対のバンド部２Ａ及び２Ｂどうしを着脱可能に連結する部分である。具体的には、連結部３は、例えばホックであり、着脱可能に嵌合する雄部材３１と雌部材３２とから構成されている。そして、バンド部２Ａの先端部２２Ａに雄部材３１が設けられ、バンド部２Ｂの先端部２２Ｂに雌部材３２が設けられている。尚、連結部３は、一対のバンド部２Ａ及び２Ｂどうしを適度な強度で着脱可能に連結することができるものであれば、ホック等に限らず、マジックテープ（登録商標）等の面ファスナやフックなどであってもよい。
【００２１】
本実施形態のバンドによれば、収納部１を含む全体を伸縮させることができる。よって、ガウチョパンツやワイドパンツ等のパンツを身に付けた際に、下肢にバンドを巻き付けることにより、当該パンツの裾のズレ落ちを防ぐことができる（図５参照）。又、収納部１が、化粧品等の小物を入れるポーチとして用いられることにより、ユーザにとって、本実施形態のバンドを携帯する機会が多くなる。従って、裾の広いパンツを身に付けたときにバンドを携帯し忘れるといったことが少なくなる。
【００２２】
尚、上記バンドは、下肢に巻き付ける場合に限らず、上肢に巻き付けて袖のズレ落ちを防ぐために用いられてもよい。又、上記バンドは、小物を入れるポーチとして用いる場合に限らず、様々な用途に適用することができる。例えば、冷えたペットボトルを収納部１に入れることにより、結露した水滴を、収納部１を構成するタオル生地で吸い取ることができる。又、収納部１に保冷剤や保温材を入れることにより、バンドを、首や体、更には弁当などの保冷や保温に用いたり、アイピローとして用いたりすることができる。
【００２３】
図６は、上記バンドの変形例を示した図である。図６に示される様に、上記バンドは、バンド部２Ａ及び２Ｂの先端部２２Ａ及び２２Ｂの間に着脱可能に増結される付属バンド部４を更に備えていてもよい。本実施形態において、付属バンド部４は、バンド部２Ａ及び２Ｂと同様、ゴムバンドで形成されている。そして、付属バンド部４の両端部に、連結部３の雌部材３２に着脱可能に嵌合する雄部材４１と、連結部３の雄部材３１に着脱可能に嵌合する雌部材４２と、がそれぞれ設けられている。これにより、使用の場面に応じて、バンド部の長さを適宜変更することができる。又、上記バンドを下肢に巻き付ける際に、付属バンド部４を分離した状態で上記バンドを右足（又は左足）に巻き付け、付属バンド部４を左足（又は右足）に巻き付けることにより、パンツの両裾のズレ落ちを防ぐことができる。尚、付属バンド部４には、ゴムバンドに限らず、伸縮性を有する様々なバンド部材が用いられてもよい。又、バンド部２Ａ及び２Ｂへの付属バンド部４の連結には、ホックとして機能する雄部材４１及び雌部材４２に限らず、マジックテープ（登録商標）等の面ファスナやフックなどが用いられてもよい。
【００２４】
上述の実施形態の説明は、すべての点で例示であって、制限的なものではないと考えられるべきである。本考案の範囲は、上述の実施形態ではなく、実用新案登録請求の範囲によって示される。更に、本考案の範囲には、実用新案登録請求の範囲と均等の意味及び範囲内での全ての変更が含まれることが意図される。
【００２５】
例えば、収納部１は、伸縮性について異方性を有した生地で形成されたものに限らず、伸縮性について等方性を有した生地で形成されたものであってもよい。又、収納部１において、収納口１０は、端縁１ａに限定されない様々な位置に設けられてもよい。更に、収納口１０の開閉には、線ファスナ１１に限らず、面ファスナやボタン等の開閉部材が用いられてもよい。
【符号の説明】
【００２６】
１  収納部
１ａ、１ｂ  端縁
２Ａ、２Ｂ  バンド部
３  連結部
４  付属バンド部
１０  収納口
１１  線ファスナ
２１Ａ、２１Ｂ  基端部
２２Ａ、２２Ｂ  先端部
３１、４１  雄部材
３２、４２  雌部材
Ｄ１  長手方向
【図１】
0003214454.tif 000003
【図２】
0003214454.tif 000004
【図３】
0003214454.tif 000005
【図４】
0003214454.tif 000006
【図５】
0003214454.tif 000007
【図６】
0003214454.tif 000008